(57)【要約】【課題】ＳＩＰによりセッションの開始、終了の制御を行うＳＩＰサーバにおいて、着信呼を転送する転送サービスを提供できるようにすること。【解決手段】本発明においては、転送情報蓄積部３１３は、セッション制御機能部３１１にて転送サービス設定の申込を受け付けた場合、申込を行った契約者が設定した転送情報を収集して蓄積する。転送処理部３１２は、セッション制御機能部３１１にて契約者宛の着信呼を受け付けた場合、着信呼に設定された着信情報と転送情報蓄積部３１３に蓄積された転送情報とに応じた転送条件を満たせば、着信呼を転送すると判定し、着信呼の転送先電話番号をセッション制御機能部３１１に伝える。【選択図】図２
2010251826.tif 000002
【特許請求の範囲】
【請求項１】
ＳＩＰ（Session Initiation Protocol）によりセッションの開始、終了の制御を行うセッション制御機能手段を有してなる転送サービスシステムであって、
前記セッション制御機能手段にて転送サービス設定の申込を受け付けた場合、当該申込を行った契約者が、着信呼の転送先電話番号を少なくとも含む情報を、カスコン情報として登録するためのインタフェースを提供する第１の入力手段と、
前記セッション制御機能手段にて転送サービス設定の申込を受け付けた場合、着信呼の転送先電話番号を少なくとも含む情報を、転送情報として蓄積する転送情報蓄積手段と、
前記セッション制御機能手段にて契約者宛の着信呼を受け付けた場合、当該着信呼に設定された着信情報と前記転送情報蓄積手段に蓄積された前記転送情報とに応じた転送条件を満たせば、当該着信呼を転送すると判定し、当該着信呼の転送先電話番号を前記セッション制御機能手段に伝える転送処理手段と、を有する転送サービスシステム。
【請求項２】
保守者が、着信呼の転送回数の上限値を登録するためのインタフェースを提供する第２の入力手段をさらに有し、
前記転送情報蓄積手段は、
前記転送回数の上限値の情報を、前記転送情報として蓄積し、
前記転送処理手段は、
前記セッション制御機能手段にて契約者宛の着信呼を受け付けた場合、当該着信呼に設定された転送回数が上限値を超えていれば、当該着信呼を転送しないと判定し、当該着信呼を発信した発信者の端末装置に転送制限の信号を返却する、請求項１に記載の転送サービスシステム。
【請求項３】
前記第１の入力手段は、
契約者が着信呼を同時に転送する同時転送数の上限値をカスコン情報として登録するためのインタフェースを提供し、
前記第２の入力手段は、
保守者が、契約者が着信呼を同時に転送する同時転送数の上限値を登録するためのインタフェースを提供し、
前記転送情報蓄積手段は、
前記同時転送数の上限値の情報を、前記転送情報として蓄積し、
前記転送処理手段は、
前記セッション制御機能手段にて契約者宛の着信呼を受け付けた場合、当該契約者の現時点の同時転送数が上限値を超えていれば、当該着信呼を転送しないと判定し、当該着信呼を発信した発信者の端末装置に転送制限の信号を返却する、請求項２に記載の転送サービスシステム。
【請求項４】
前記第１の入力手段は、
前記転送サービスの種別が、発信者に応じて着信呼を転送する発信者識別転送である旨の情報と、当該着信呼の転送を可または不可とする発信者の発信者電話番号の情報と、をカスコン情報として登録するためのインタフェースを提供し、
前記転送情報蓄積手段は、
前記転送サービスの種別が、発信者に応じて着信呼を転送する発信者識別転送である旨の情報と、当該着信呼の転送を可または不可とする発信者の発信者電話番号の情報と、を前記転送情報として蓄積し、
前記転送処理手段は、
前記セッション制御機能手段にて契約者宛の着信呼を受け付けた場合、当該着信呼に設定された発信者電話番号が、前記転送情報蓄積手段に転送不可とする発信者電話番号として蓄積されていれば、当該着信呼を転送しないと判定する、請求項１から３のいずれか１項に記載の転送サービスシステム。
【請求項５】
前記第１の入力手段は、
前記発信者電話番号の選択基準の情報をカスコン情報として登録するためのインタフェースを提供し、
前記転送情報蓄積手段は、
前記発信者電話番号の選択基準の情報を、前記転送情報として蓄積し、
前記転送処理手段は、
前記セッション制御機能手段にて契約者宛の着信呼を受け付けた場合、当該着信呼に設定された発信者電話番号が、前記選択基準を満たしかつ前記転送情報蓄積手段に転送不可とする発信者電話番号として蓄積されていれば、当該着信呼を転送しないと判定する、請求項４に記載の転送サービスシステム。
【請求項６】
前記第１の入力手段は、
前記転送サービスの種別が、無条件に着信呼を転送する無条件転送、着信者が無応答の時だけ着信呼を転送する無応答時転送、または、着信者が話中の時だけ着信呼を転送する話中時転送のいずれかである旨の情報を、カスコン情報として登録するためのインタフェースを提供し、
前記転送情報蓄積手段は、
前記転送サービスの種別が、無条件に着信呼を転送する無条件転送、着信者が無応答の時だけ着信呼を転送する無応答時転送、または、着信者が話中の時だけ着信呼を転送する話中時転送のいずれかである旨の情報を、前記転送情報として蓄積し、
前記転送処理手段は、
契約者宛の着信呼を転送すると判定した場合、当該着信呼の転送先電話番号とともに、前記無条件転送、前記無応答時転送、または、前記話中時転送の区別を前記セッション制御機能手段に伝える、請求項１から５のいずれか１項に記載の転送サービスシステム。
【請求項７】
前記第１の入力手段は、
転送先電話番号としての登録が不可である登録不可電話番号の情報をカスコン情報として登録するためのインタフェースを提供し、
前記転送情報蓄積手段は、
転送先電話番号としての登録が不可である登録不可電話番号の情報を、前記転送情報として蓄積し、
前記転送処理手段は、
前記セッション制御機能手段にて転送サービス設定の申込を受け付けた場合、当該申込を行った契約者が設定した着信呼の転送先電話番号が、前記転送情報蓄積手段に前記登録不可電話番号として蓄積されていれば、当該契約者の端末装置に登録制限の信号を返却する、請求項１から６のいずれか１項に記載の転送サービスシステム。
【請求項８】
前記第１の入力手段は、
前記転送サービスの種別が前記無応答時転送である場合に、着信者を呼び出してから応答なしと判定するまでの時間を表すタイマ値を、契約者が登録するためのインタフェースを提供し、
前記転送情報蓄積手段は、
前記タイマ値の情報を、前記転送情報として蓄積し、
前記転送処理手段は、
前記転送サービスの種別が前記無応答時転送である場合、着信者の端末装置から応答不可を示す信号を受信したら着信呼を転送すること、および、前記タイマ値を前記セッション制御機能手段に伝える、請求項６に記載の転送サービスシステム。
【請求項９】
前記第１の入力手段は、
前記転送先電話番号の選択基準の情報をカスコン情報として登録するためのインタフェースを提供し、
前記転送情報蓄積手段は、
前記転送先電話番号の選択基準の情報を、前記転送情報として蓄積し、
前記転送処理手段は、
契約者宛の着信呼を転送すると判定した場合、前記選択基準を満たす転送先電話番号を前記セッション制御機能手段に伝える、請求項１から８のいずれか１項に記載の転送サービスシステム。
【請求項１０】
前記転送情報蓄積手段は、
前記転送情報を、契約者ごとに蓄積する、請求項１から９のいずれか１項に記載の転送サービスシステム。
【請求項１１】
前記第１の入力手段は、第１のサーバに設けられ、
前記セッション制御機能手段、前記転送処理手段、前記転送情報蓄積手段、および前記第２の入力手段は、第２のサーバに設けられている、請求項２から１０のいずれか１項に記載の転送サービスシステム。
【請求項１２】
前記セッション制御機能手段、前記第１の入力手段、前記転送処理手段、前記転送情報蓄積手段、および前記第２の入力手段は、同一のサーバに設けられている、請求項２から１０のいずれか１項に記載の転送サービスシステム。
【請求項１３】
請求項２から１０のいずれか１項に記載の前記セッション制御機能手段、前記転送処理手段、前記転送情報蓄積手段、および前記第２の入力手段を有するＳＩＰサーバ。
【請求項１４】
請求項２から１０のいずれか１項に記載の前記セッション制御機能手段、前記第１の入力手段、前記転送処理手段、前記転送情報蓄積手段、および前記第２の入力手段を有するＳＩＰサーバ。
【発明の詳細な説明】
【技術分野】
【０００１】
本発明は、次世代ネットワーク（以下、ＮＧＮ：Next Generation Networkと称する）における着信呼の転送を行う転送技術に関する。
【背景技術】
【０００２】
ＮＧＮの議論が盛んになってきた。ＮＧＮは、電話サービスをはじめ、固定通信と移動通信とを融合したサービスや今後開発される新しい情報通信サービスを提供する基盤ネットワークである（例えば、非特許文献１）。
【０００３】
上記ＮＧＮを実現するには、従来のＰＳＴＮ（Public Switched Telephone Network）で提供されていた、利用者にとって便利な付加サービス、例えば、着信があったときに予め設定された転送条件に基づき着信呼を転送先に転送する転送サービスが、ＮＧＮにおいても提供されることが重要になる。なお、こうした転送サービスは、着信者が契約している場合に提供され、着信者の電話番号に設定されることになる。
【０００４】
ところで、ＮＧＮにおいては、セッション開始プロトコル（以下、ＳＩＰ：Session Initiation Protocolと称する）によりセッションの開始、終了の制御を行うが、ＳＩＰには着信呼を転送先電話番号に転送するという手順が規定されていない。
【０００５】
そのため、ＮＧＮにおいて、従来の転送サービスを提供するには、従来の転送技術をＮＧＮの制御装置となるＳＩＰサーバに適用することが考えられる。
【０００６】
例えば、従来の転送技術としては、着信側の電話交換機が、外線と接続し電話回線を開閉する外線インタフェース部と、内線と接続し電話回線を開閉する内線インタフェース部と、着信呼を予め指定された転送先に転送する電話転送部と、各部を制御する制御部と、を有し、制御部が着信呼を転送する際には、電話転送部に発信者の電話情報、例えば、発信者の電話番号が登録されているか否かを検索し、発信者の電話番号が登録されている場合にのみ転送先に着信呼を転送するものがある。
【０００７】
したがって、発信者の電話番号を予め登録しておくことにより、発信者を選別し、重要度の高い発信者からの着信呼だけを予め指定された転送先に転送することが可能になる。
【０００８】
しかしながら、上記転送技術は、電話回線を使う電話交換機の構成に係わるものであることから、電話回線ではないＮＧＮには適用できない（例えば、特許文献１参照）。
【０００９】
また、従来の他の転送技術としては、ＩＰ（Internet Protocol）網を使って音声の転送を行うものとして、ＩＰ網およびＰＳＴＮの両方の網に接続するＩＰ／ＰＳＴＮ統合制御装置を設置し、本ＩＰ／ＰＳＴＮ統合制御装置が、ＩＰ網に接続するためのＩＰ網信号送受信制御部と、ＰＳＴＮに接続するためのＰＳＴＮ信号送受信制御部と、ＩＰ通信端末やＰＳＴＮ通信端末を接続するための端末制御部と、動作モードを含む制御データを格納するデータ格納部と、呼の接続制御を行う中央制御部と、を有し、中央制御部がデータ格納部に格納された動作モードに基づき音声の転送や蓄積等の接続制御を行うものがある。
【００１０】
これにより、ＩＰ網に収容されたＩＰ通信端末からの着信呼を、ＩＰ網経由で他のＩＰ通信端末に転送したり、ＰＳＴＮ経由でＰＳＴＮ通信端末に転送したりする転送サービスが可能になる。
【００１１】
しかしながら、上記転送技術は、着信者の電話番号に転送サービスが設定されているか否かの管理をＩＰ／ＰＳＴＮ統合制御装置が行うため、全ての着信呼をＩＰ／ＰＳＴＮ統合制御装置経由にすることになり、大規模なシステムへの適用は難しく、利用形態としては、宅内にＩＰ／ＰＳＴＮ統合制御装置を設置し、自分のところに着信した着信呼を、ＩＰ網経由で他のＩＰ通信端末に転送したり、ＰＳＴＮ経由でＰＳＴＮ通信端末に転送したりするという形態になるため、ＮＧＮのＳＩＰサーバには適用できない（例えば、特許文献２参照）。
【００１２】
上記に述べたとおり、これらの従来の転送技術は、ＳＩＰによりセッションの開始、終了の制御を行うＳＩＰサーバには適用できない。
【先行技術文献】
【特許文献】
【００１３】
【特許文献１】特開平７−１６２５２９号公報
【特許文献２】特開２００３−３２４５２２号公報
【非特許文献】
【００１４】
【非特許文献１】宇治則孝「豊かなブロードバンド・ユビキタス社会を築くＮＧＮ」ＮＴＴ技術ジャーナル  ２００７．１２
【発明の概要】
【発明が解決しようとする課題】
【００１５】
上記に述べた従来の転送技術は、ＮＧＮにおいて、ＳＩＰによりセッションの開始、終了の制御を行うＳＩＰサーバには適用できないという問題がある。
【００１６】
そこで、本発明の目的は、上記の問題を解決し、ＳＩＰによりセッションの開始、終了の制御を行うＳＩＰサーバにおいて、着信呼を転送する転送サービスを提供できるようにする転送サービスシステムおよびＳＩＰサーバを提供することにある。
【課題を解決するための手段】
【００１７】
上記目的を達成するために本発明の転送サービスシステムは、
ＳＩＰ（Session Initiation Protocol）によりセッションの開始、終了の制御を行うセッション制御機能手段を有してなる転送サービスシステムであって、
前記セッション制御機能手段にて転送サービス設定の申込を受け付けた場合、当該申込を行った契約者が、着信呼の転送先電話番号を少なくとも含む情報を、カスコン情報として登録するためのインタフェースを提供する第１の入力手段と、
前記セッション制御機能手段にて転送サービス設定の申込を受け付けた場合、着信呼の転送先電話番号を少なくとも含む情報を、転送情報として蓄積する転送情報蓄積手段と、
前記セッション制御機能手段にて契約者宛の着信呼を受け付けた場合、当該着信呼に設定された着信情報と前記転送情報蓄積手段に蓄積された前記転送情報とに応じた転送条件を満たせば、当該着信呼を転送すると判定し、当該着信呼の転送先電話番号を前記セッション制御機能手段に伝える転送処理手段と、を有することを特徴とする。
【００１８】
上記目的を達成するために本発明のＳＩＰサーバは、前記セッション制御機能手段、前記転送処理手段、および前記転送情報蓄積手段を少なくとも有することを特徴とする。
【発明の効果】
【００１９】
本発明によれば、セッション制御機能手段にて転送サービス設定の申込を受け付けた場合、その転送サービスに関して契約者が設定した転送情報を蓄積し、セッション制御機能手段にて契約者宛の着信呼を受け付けた場合、着信呼に設定された着信情報と蓄積された転送情報とを基に着信呼を転送すると判定すると、着信呼の転送先電話番号をセッション制御機能手段に伝える構成である。
【００２０】
したがって、セッション制御機能手段を有するＳＩＰサーバにおいて、セッション制御機能手段にて受け付けた着信呼を転送先電話番号に転送する転送サービスを提供できるようになる。
【００２１】
例えば、転送サービスの種別が無応答時転送である場合に、着信者の端末装置から応答不可を示す信号を受信したら着信呼を転送すること、および、応答なしと判定するタイマ値をセッション制御機能手段にさらに伝える構成とすれば、着信者の端末装置から応答不可を示す信号を受信すると、直ちに着信呼を転送するといったサービスも提供可能である。
【００２２】
このようなサービスは、従来のＰＳＴＮの転送サービスにはないため、契約者にとっては、従来のＰＳＴＮの転送サービスにはない転送サービスが利用できるようになり、特に、契約者の端末装置が圏外等で無応答になることが多い携帯端末の場合に有効となる。
【００２３】
また、サービス提供者にとっては、応答できない端末装置を長時間呼び出し続けることがなくなり、ネットワーク資源の有効活用が図れるようになるため、不要となるネットワーク資源に相当する料金分の収入増が見込める。
【図面の簡単な説明】
【００２４】
【図１】本発明の一実施形態の転送サービスシステムの構成例を示す図である。
【図２】図１に示したＳＳＣの構成例を示すブロック図である。
【図３】図２に示した転送処理部の構成例を示すブロック図である。
【図４】図２に示した転送情報蓄積部に蓄積される転送情報の構成例を示す図である。
【図５】図２に示したＳＳＣにおける転送サービス設定（登録、解除、変更）時の動作例を示すフローチャートである。
【図６】図２に示したＳＳＣにおける着信呼の転送時の動作例を示すフローチャートである。
【図７】図１に示した転送サービスシステムにおける転送サービス設定（登録、解除、変更）時の動作例を示すシーケンスチャートである。
【図８】図１に示した転送サービスシステムにおける着信呼の転送時の動作例を示すシーケンスチャートである。
【発明を実施するための形態】
【００２５】
［発明概略］
本発明においては、ＮＧＮにおいて、ＳＩＰによりセッションの開始、終了の制御を行うセッション制御機能部を有するＳＩＰサーバとなる加入者セッション制御サーバ（以下、ＳＳＣ：Subscriber Session Control serverと称する）を、カスタマ制御メディアサーバ（以下、ＭＳ−Ｃ：Media Server Custom controlと称する）と連携させる。そして、ＳＳＣは、転送サービス設定（登録、解除、変更）の申し込みを受け付けた場合、ＭＳ−Ｃを介して着信呼の転送先電話番号等を含むカスコン情報を転送情報として利用者からストレスなく収集して蓄積し、着信呼を受け付けた場合、着信呼に設定された着信情報と蓄積した転送情報とを基に着信呼を転送する多彩な転送サービスを提供できるようにする。
【００２６】
以下、本発明を実施するための形態について図面を参照して説明する。
［システム構成］
図１は、本発明の一実施形態の転送サービスシステムの構成例を示す図である。
【００２７】
図１に示した転送サービスシステムは、ＮＧＮ１と、ＮＧＮ１に接続された端末装置４ａ，４ｂ（以下、どの端末装置であるかを特定しないときは端末装置４と称する）と、を有している。
【００２８】
また、ＮＧＮ１は、ＳＳＣ３１ａ，３１ｂ（以下、どのＳＳＣであるかを特定しないときはＳＳＣ３１と称する）と、ＭＳ−Ｃ３２ａ，３２ｂ（以下、どのＭＳ−Ｃであるかを特定しないときはＭＳ−Ｃ３２と称する）と、ＰＳＴＮ−ＧＷ（Public Switched Telephone Network-Gateway）３３と、を有している。
【００２９】
ＮＧＮ１は、パケット転送層と、ＳＳＣ３１、ＭＳ−Ｃ３２およびＰＳＴＮ−ＧＷ３３を含むサービス制御層と、を有するネットワークである。
【００３０】
ＳＳＣ３１は、本発明の特徴である、加入者系のセッション制御機能部を含むＳＩＰサーバである。ＳＳＣ３１の詳細についてはこの後説明する。
【００３１】
ＭＳ−Ｃ３２は、転送サービスを契約している利用者（契約者）の端末装置４に対し、これから行いたい転送サービス設定（登録、解除、変更）の設定内容を問い合わせるガイダンスを送出する機能と、設定内容に応じたガイダンスを送出する機能と、ガイダンスに応じて契約者が操作情報（カスコン情報）を登録するためのインタフェースを提供する機能（第１の入力手段の一部の機能）と、登録されたカスコン情報が契約者の意図したものかを確認するガイダンスを送出する機能と、ＳＳＣ３１に対し、登録されたカスコン情報を契約者の転送情報として送信する機能（第１の入力手段の一部の機能）と、を有するサーバである。
【００３２】
ＰＳＴＮ−ＧＷ３３は、ＰＳＴＮ間のゲートウェイ機能を有するサーバである。
【００３３】
端末装置４は、契約者が操作する端末装置である。
【００３４】
なお、図１においては、図面の都合上、ＳＳＣ３１を２つ、ＭＳ−Ｃ３２を２つ、ＰＳＴＮ−ＧＷ３３を１つ示しているが、これらはさらに多く存在していてもよい。また、各装置、サーバは独立して存在する必要はなく、例えば、ＳＳＣ３１とＭＳ−Ｃ３２とが一体化していてもよい。
［システム機能］
本発明は、上記に述べたシステム構成において、次の機能を可能にするものである。
【００３５】
契約者が端末装置４ａを操作して、ＳＳＣ３１ａに転送サービス設定（登録、解除、変更）の申し込みを行うと（Ｓ１）、ＳＳＣ３１ａがＭＳ−Ｃ３２を動作させ（Ｓ２）、ＭＳ−Ｃ３２が設定に関わるガイダンスを契約者に送出し、契約者がＭＳ−Ｃ３２から送出されるガイダンスに応じて転送先電話番号や転送サービスの種別等の登録を行う（Ｓ３）。
【００３６】
例えば、契約者が、転送サービスとして、着信呼を無条件に転送する無条件転送を設定した場合は、設定した後に端末装置４ｂから電話がかかると（Ｓ４）、ＳＳＣ３１ｂからＳＳＣ３１ａに着信呼が着信してくるが（Ｓ５）、ＳＳＣ３１ａにおいて無条件転送が設定されていることから、その着信呼を直ちに転送先電話番号に転送する（Ｓ５）。
［ＳＳＣ３１の構成］
次に、上記に述べた本発明のＳＳＣ３１の構成について説明する。
【００３７】
図２は、図１に示したＳＳＣ３１の構成例を示す図である。
【００３８】
なお、図２は、ＳＳＣ３１の機能のうち本発明に関係する部分のみを概念的に示している。
【００３９】
ＳＳＣ３１は、セッション制御機能部３１１と、転送処理部３１２と、転送情報蓄積部３１３と、を有している。
【００４０】
本発明は、ＳＳＣ３１において、ＳＩＰによりセッションの開始、終了の制御を行うセッション制御機能部３１１に加えて、転送処理部３１２および転送情報蓄積部３１３を追加し、ＭＳ−Ｃ３２を介して収集し蓄積した転送情報と着信呼に設定された着信情報とを統合的に処理し、多彩な転送サービスを提供できるようにしたものである。
【００４１】
まず、セッション制御機能部３１１について説明する。
【００４２】
セッション制御機能部３１１は、ＳＩＰによるセッションの開始、終了の制御を行う機能を有するとともに、転送サービス設定（登録、解除、変更）を行うために次の機能を有する。
（１）特番（例えば、１４２）を含んだ転送サービス設定を申し込むＩＮＶＩＴＥ信号を受信した場合は、転送サービスを契約している利用者（契約者）の電話番号であるかを確認するよう転送処理部３１２に伝え、転送処理部３１２から確認したことが伝えられると、ＩＮＶＩＴＥ信号をＭＳ−Ｃ３２に送信する。
（２）ＩＮＶＩＴＥ信号を受信したＭＳ−Ｃ３２から契約者の転送情報が送信されてくると、転送情報を蓄積するよう転送処理部３１２に伝え、転送処理部３１２から転送情報の蓄積を完了したことが伝えられると、ＭＳ−Ｃ３２に２００ＯＫを送信する。
【００４３】
また、セッション制御機能部３１１は、着信してきた着信呼の転送を行うために次の機能を有する。
（１）着信者の電話番号を含む着信呼のＩＮＶＩＴＥ信号を受信した場合は、転送処理部３１２に着信者の電話番号を含む着信情報を伝える。
（２）着信情報を伝えられた転送処理部３１２から転送サービスに関わる処理結果が伝えられると、その処理結果に基づき着信呼の転送制御を行う。
（３）上記（２）の転送制御には、ＩＮＶＩＴＥ信号を転送するときに、ＩＮＶＩＴＥ信号の中の、転送が無限に続かないようにするために、転送が一定の回数に達したらそれ以上転送しないように転送回数をカウントした転送回数情報を、＋１カウントアップすることが含まれる。
【００４４】
なお、転送回数情報は、ＰＳＴＮ側と連携し、転送回数情報を相互にやりとりしあうことにより、網全体での転送回数の管理が可能になる。
（４）上記（２）の転送制御には、転送に際して、転送処理部３１２に対し、同時に転送する数が一定の数に達したらそれ以上は転送しないように同時転送数をカウントした同時転送数情報を、＋１カウントアップすることを伝えることが含まれる。
【００４５】
次に、転送処理部３１２について説明する。
【００４６】
転送処理部３１２は、転送サービスに関わる処理、即ち、着信呼に設定された着信情報と転送情報蓄積部３１３に蓄積された転送情報とに応じた転送条件を基に、着信呼を転送するかを判定する処理や、着信呼を転送すると判定した場合に着信呼に転送先電話番号等を設定する処理等を行うものであり、処理結果をセッション制御機能部３１１に伝える。これにより、セッション制御機能部３１１は、伝えられた処理結果に基づき動作するだけでよくなる。
【００４７】
図３は、図２に示した転送処理部３１２の構成例を示す図である。
【００４８】
転送処理部３１２は、セッション制御機能部インタフェース３１２１と、転送情報蓄積部インタフェース３１２２と、転送情報検索部３１２３と、設定受け付け部３１２４と、転送情報蓄積制御部３１２５と、転送処理設定部３１２６と、同時転送制御部３１２７と、を有している。
【００４９】
セッション制御機能部インタフェース３１２１は、セッション制御機能部３１１とのインタフェースをとる機能を有する。
【００５０】
転送情報蓄積部インタフェース３１２２は、転送情報蓄積部３１３とのインタフェースをとる機能を有する。
【００５１】
転送情報検索部３１２３は、設定受け付け部３１２４あるいは転送処理設定部３１２６から起動され、転送情報蓄積部３１３に蓄積された転送情報を検索する機能を有する。
【００５２】
設定受け付け部３１２４は、セッション制御機能部３１１から転送サービス設定の申し込みをしてきた利用者の電話番号が契約者であることを確認するよう伝えられると、転送情報蓄積部３１３を検索して契約者であることを確認し、確認したことをセッション制御機能部３１１に伝える機能を有する。
【００５３】
転送情報蓄積制御部３１２５は、セッション制御機能部３１１から契約者の転送情報が伝えられると、契約者の転送情報を転送情報蓄積部３１３に蓄積し、契約者の転送情報の蓄積が完了したことをセッション制御機能部３１１に伝える機能を有する。
【００５４】
転送処理設定部３１２６は、セッション制御機能部３１１から伝えられる着信情報に含まれる転送回数と転送情報蓄積部３１３が蓄積する転送回数上限値とを比較し、転送回数上限値を超えていれば転送が不可であると判定し、発信者の端末装置に転送制限の信号を返却する機能を有する。
【００５５】
また、転送処理設定部３１２６は、着信情報に含まれる着信者の電話番号に基づき転送情報蓄積部３１３を検索し、着信者が契約者であるか否かを判定し、契約者である場合は契約者の転送情報を取り出し、着信情報と契約者の転送情報とを基に転送サービスに関わる処理を行い、処理結果をセッション制御機能部３１１に伝える機能を有する。
【００５６】
また、転送処理設定部３１２６は、契約者電話番号毎の同時転送数と同時転送数上限値とを比較し、同時転送数上限値を超えていれば転送が不可であると判定し、発信者の端末装置に転送制限の信号を返却する機能を有する。
【００５７】
また、転送処理設定部３１２６は、転送サービスとして、発信者に応じて着信呼を転送する発信者識別転送が設定されているかを判定し、設定されている場合は、発信者の電話番号が登録電話番号として登録されているか否かに基づき、着信呼を転送させることになるのか、あるいは転送させないことになるのかを判定する機能を有する。
【００５８】
また、転送処理設定部３１２６は、契約者が複数の発信者の電話番号を登録電話番号として登録し、さらに複数の登録電話番号の選択基準を登録した場合は、選択基準に基づき登録電話番号を選択し、発信者の電話番号が、選択した登録電話番号として登録されているか否かに基づき、着信呼を転送させることになるのか、あるいは転送させないことになるのかを判定する機能を有する。
【００５９】
また、転送処理設定部３１２６は、転送する場合には、転送サービスとして、無条件転送か、着信者が無応答の時だけ転送する無応答時転送か、あるいは、着信者が話中の時だけ転送する話中時転送のどれに設定されているかを判定し、転送先電話番号とともにセッション制御機能部３１１に伝える機能を有する。
【００６０】
また、転送処理設定部３１２６は、無応答時転送に設定されている場合は、端末装置４を呼び出した後に端末装置４から応答不可を意味する信号（例えば、４８０ Temporarily Unavailable）が送信されてきたら、直ちに呼び出しを止め、転送先電話番号に転送を行うこと、および、応答なしと判定するタイマ値がいくつであるかを、セッション制御機能部３１１に伝える機能を有する。なお、タイマ値は、契約者によりカスコン情報としてＭＳ−Ｃ３２に登録される。
【００６１】
また、転送処理設定部３１２６は、契約者が複数の転送先電話番号を登録し、さらに複数の転送先電話番号の選択基準を登録した場合は、選択基準に基づき転送先電話番号を選択し、セッション制御機能部３１１に伝える機能を有する。
【００６２】
また、転送処理設定部３１２６は、契約者が転送先電話番号としての登録が不可である登録不可電話番号（例えば、消防機関にかかる「１１９番」など）を登録した場合は、契約者が設定した着信呼の転送先電話番号が登録不可電話番号として登録されていれば、その契約者の端末装置に登録制限の信号を返却する機能を有する。なお、登録不可電話番号は、契約者によりカスコン情報としてＭＳ−Ｃ３２に登録される。
【００６３】
同時転送制御部３１２７は、セッション制御機能部３１１から同時転送数情報に＋１カウントアップすることが伝えられると、転送情報蓄積部３１３の同時転送数情報に対し＋１カウントアップする機能を有する。
【００６４】
上記のことから、転送処理部３１２があることにより、多彩な転送サービスが、セッション制御機能部３１１への影響を少なくして実現可能になる。
【００６５】
次に、転送情報蓄積部３１３について説明する。
【００６６】
転送情報蓄積部３１３は、セッション制御機能部３１１から伝えられた、契約者により登録されたカスコン情報や保守者により登録された情報を、転送情報として蓄積し、着信者の電話番号に基づいた検索を可能にする機能を有する。
【００６７】
図４は、図２に示した転送情報蓄積部３１３に蓄積される転送情報の構成例を示している。なお、図４には図示していないが、転送情報蓄積部３１３には、保守者が各種データを登録するためのインタフェースを提供する手段（第２の入力手段）が設けられているものとする。
【００６８】
転送情報蓄積部３１３は、転送情報として、例えば、転送回数上限値３１３１と、契約者電話番号３１３２と、同時転送３１３３と、申し込みサービス３１３４と、転送先電話番号３１３５と、登録電話番号３１３６と、を蓄積する。
【００６９】
転送回数上限値３１３１は、契約者に共通するデータであり、転送回数の上限値を示している。本データは保守者により予め登録される。
【００７０】
なお、その他の契約者電話番号３１３２、同時転送３１３３、申し込みサービス３１３４、転送先電話番号３１３５、および登録電話番号３１３６は、契約者に個別のデータとなっている。
【００７１】
契約者電話番号３１３２は、契約者の電話番号を示している。本データは保守者により予め登録される。
【００７２】
同時転送３１３３は、同時転送数上限値および同時転送数とからなり、同時転送数上限値は同時転送数の上限値を示しており、保守者により予め登録される。また、同時転送数は現時点で転送している数を示しており、転送処理部３１２の同時転送制御部３１２７により制御される。
【００７３】
申し込みサービス３１３４は、契約者が申し込んだ（入力した）転送サービスを示している。転送サービスとしては、発信者識別転送として、登録電話番号からの着信呼だけを転送する登録番号転送あるいは登録電話番号以外の電話番号からの着信呼を転送する登録番号着信のいずれかを申し込み可能であり、また、無条件転送、無応答時転送、あるいは話中時転送のいずれかを申し込み可能である。ここでは、セレクト機能（登録番号着信）および無条件転送の２つを組み合わせて申し込んでいることを示している。
【００７４】
転送先電話番号３１３５は、契約者が申し込んだ転送先の電話番号を示しており、ＯＮ／ＯＦＦは現時点で有効か、無効かを示している。無効の場合は、その番号には転送を行わない。また、ポリシーは有効に条件を付けるものであり、ＡＭは午前のみ有効であり、ＰＭは午後のみ有効であることを示している。
【００７５】
登録電話番号３１３６は、契約者が申し込んだ登録者（発信者）の電話番号を示しており、ＯＮ／ＯＦＦは現時点で有効か、無効かを示している。無効の場合は、その番号の登録はないものとする。また、ポリシーは有効に条件を付けるものであり、ＡＭは午前のみ有効であることを示している。
【００７６】
なお、図４に示したデータのうち、保守者により登録されるデータ以外のデータについては、契約者によりカスコン情報としてＭＳ−Ｃ３２に登録されるものとする。ただし、同時転送数の上限値のデータについては、保守者により登録されてもよいし、契約者によりカスコン情報としてＭＳ−Ｃ３２に登録されてもよい。
［ＳＳＣ３１の動作］
次に、図２に示したＳＳＣ３１の動作について説明する。
【００７７】
図５は、図２に示したＳＳＣ３１における転送サービス設定（登録、解除、変更）時の動作例を示すフローチャートである。
【００７８】
セッション制御機能部３１１は、特番を含んだ転送サービス設定を申し込むＩＮＶＩＴＥ信号を受信すると、転送サービスを契約している利用者（契約者）の電話番号であることを確認するよう転送処理部３１２に伝える（ステップＡ１）。
【００７９】
転送処理部３１２は、転送情報蓄積部３１３を検索し、契約者であることを確認すると、確認したことをセッション制御機能部３１１に伝え（ステップＡ２）、セッション制御機能部３１１は、ＩＮＶＩＴＥ信号をＭＳ−Ｃ３２に送信する（ステップＡ３）。
【００８０】
ＭＳ−Ｃ３２は、ＩＮＶＩＴＥ信号を受信すると、端末装置４にガイダンスを送出し、ガイダンスに応じて契約者が操作した操作情報（カスコン情報）を受信すると、受信したカスコン情報が契約者の意図したものかを確認するガイダンスを送出し、受信したカスコン情報を契約者の転送情報としてセッション制御機能部３１１に送信する。
【００８１】
セッション制御機能部３１１は、契約者の転送情報を受信すると、受信したことを転送処理部３１２に伝える（ステップＡ４）。転送処理部３１２は、契約者が設定した着信呼の転送先電話番号が登録不可電話番号でないこと等を確認した上で、転送情報蓄積部３１３に契約者の転送情報を蓄積し、転送情報蓄積部３１３から蓄積が完了した通知を受け取ると、契約者の転送情報の蓄積が完了したことをセッション制御機能部３１１に伝え（ステップＡ５）、セッション制御機能部３１１は、転送処理部３１２から契約者の転送情報の蓄積が完了したことを伝えられると、ＭＳ−Ｃ３２に２００ＯＫを送信する（ステップＡ６）。
【００８２】
ＭＳ−Ｃ３２は、２００ＯＫを受信すると、端末装置４に契約者の転送情報の蓄積が完了したことを告げるガイダンスを送出する。
【００８３】
セッション制御機能部３１１は、端末装置４からＢＹＥ信号を受信すると（ステップＡ７）、端末装置４に２００ＯＫを送信する（ステップＡ８）。
【００８４】
図６は、図２に示したＳＳＣ３１における着信呼の転送時の動作例を示すフローチャートである。
【００８５】
セッション制御機能部３１１は、着信者の電話番号を含む着信呼のＩＮＶＩＴＥ信号を受信すると（ステップＢ１）、着信情報を取り出し転送処理部３１２に伝える（ステップＢ２）。
【００８６】
転送処理部３１２は、転送回数が転送回数上限値以下であることを確認し（ステップＢ３）、着信者の電話番号に基づき転送蓄積部３１３を検索して転送情報を取得し、着信者が契約者であることを確認し（ステップＢ４）、同時転送数が同時転送数上限値以下であることを確認する（ステップＢ５）。
【００８７】
さらに、転送処理部３１２は、発信者識別転送が設定されているかを判定し（ステップＢ６）、設定されていた場合は、発信者の電話番号に基づき、転送させることになるのか、転送させないことになるのかを判定し（ステップＢ７）、転送させる場合は、無条件転送か、無応答時転送か、あるいは話中時転送かの区別とその処理について、転送先電話番号とともにセッション制御機能部３１１に伝える。また、無応答時転送にあっては、端末装置４から応答不可を意味する信号（例えば、４８０ Temporarily Unavailable）が送信されてきたら、直ちに呼び出しを止め、転送先電話番号に転送を行うこと、および、応答なしと判定するタイマ値がいくつであるかもセッション制御機能部３１１に伝える（ステップＢ８）。
【００８８】
セッション制御機能部３１１は、話中時転送の場合は、話中か否かを判定し、話中であれば転送先電話番号へ着信呼を転送するように制御する（ステップＢ９）。
【００８９】
また、セッション制御機能部３１１は、無応答時転送の場合は、端末装置４に呼び出しのためのＩＮＶＩＴＥ信号を送信し（ステップＢ１０）、応答不可を意味する信号（例えば、４８０ Temporarily Unavailable）を受信した場合、または、ＩＮＶＩＴＥ信号を送信してからタイマ値の時間が経過してタイムオーバとなった場合に、転送先電話番号へ転送するように制御する（ステップＢ１１，Ｂ１２）。
【００９０】
また、セッション制御機能部３１１は、無条件転送の場合は、直ちに転送先電話番号へ転送するように制御する。
【００９１】
続いて、セッション制御機能部３１１は、全ての場合において、転送先電話番号への転送を行う際には、転送処理部３１２に電話番号毎の同時転送数を＋１カウントアップするよう転送処理部３１２に伝え、転送処理部３１２が電話番号毎の同時転送数を＋１カウントアップする（ステップＢ１３）。
【００９２】
続いて、セッション制御機能部３１１は、転送回数情報に対し＋１カウントアップしたＩＮＶＩＴＥ信号を、同一ＮＧＮ1内の他のＳＳＣ３１あるいはＰＳＴＮ−ＧＷ３３に転送する（ステップＢ１４）。
【００９３】
なお、ステップＢ６において、転送処理部３１２が、発信者識別転送が設定されていないと判定した場合は、その他の転送条件の設定がされているか否かを調べ、設定されていると判定した場合はステップＢ８に移行し、設定されていないと判定した場合は通常の着信制御とすることをセッション制御機能部３１１に伝える（ステップＢ１５）。
［システム動作］
次に、図１に示した転送サービスシステムの動作について説明する。
【００９４】
図７は、図１に示した転送サービスシステムにおける転送サービス設定（登録、解除、変更）時の動作例を示すシーケンスチャートである。
【００９５】
なお、図７は、端末装置４ａ、ＳＳＣ３１ａおよびＭＳ−Ｃ３２ａの間のシーケンスを示している。
【００９６】
また、図７は、端末装置４ａが転送サービス設定の申し込みをする場合をとりあげている。
【００９７】
端末装置４ａが転送サービス設定の申し込みをするＩＮＶＩＴＥ（１）信号をＮＧＮ１に送信すると（ステップＣ１）、ＩＮＶＩＴＥ（１）信号はＳＳＣ３１ａで受信され、ＳＳＣ３１ａは、ＭＳ−Ｃ３２ａにＩＮＶＩＴＥ（２）信号を送信する（ステップＣ２）。
【００９８】
ＭＳ−Ｃ３２ａは、ＩＮＶＩＴＥ（２）信号を受信すると、端末装置４ａにガイダンスを送信する（ステップＣ３）。
【００９９】
端末装置４ａがガイダンスに応じてカスコン情報をＮＧＮ１に送信すると（ステップＣ４）、カスコン情報はＭＳ−Ｃ３２ａで受信され、ＭＳ−Ｃ３２ａは、カスコン情報を転送情報としてＳＳＣ３１ａに送信する（ステップＣ５）。
【０１００】
ＳＳＣ３１ａは、転送情報を受信すると、転送情報を蓄積し（ステップＣ６）、ＭＳ−Ｃ３２ａに２００ＯＫ（１）を送信する（ステップＣ７）。
【０１０１】
ＭＳ−Ｃ３２ａは、２００ＯＫ（１）を受信すると、端末装置４ａに蓄積完了のガイダンスを送信する（ステップＣ８）。
【０１０２】
端末装置４ａが蓄積完了のガイダンスを受信し、ＢＹＥ信号をＮＧＮ１に送信すると（ステップＣ９）、ＢＹＥ信号はＳＳＣ３１ａで受信され、ＳＳＣ３１ａは、端末装置４ａに２００ＯＫ（２）を送信する（ステップＣ１０）。
【０１０３】
図８は、図１に示した転送サービスシステムにおける着信呼の転送時の動作例を示すシーケンスチャートである。
【０１０４】
なお、図８は、端末装置４ａ、端末装置４ｂ、ＳＳＣ３１ａ、ＳＳＣ３１ｂおよびＰＳＴＮ−ＧＷ３３の間のシーケンスを示している。
【０１０５】
また、図８は、端末装置４ａが無応答時転送を設定した場合であって、端末装置４ｂからの着信呼により端末装置４ａに呼び出しをかけ、端末装置４ａから４８０ Temporarily Unavailableを受信し、直ちに呼び出しを止め、転送先のＰＳＴＮの電話番号に転送する場合を示している。
【０１０６】
端末装置４ｂが端末装置４ａに電話をかけるためにＩＮＶＩＴＥ（３）信号をＮＧＮ１に送信すると（ステップＤ１）、ＩＮＶＩＴＥ（３）信号はＳＳＣ３１ｂで受信され、ＳＳＣ３１ｂは、ＳＳＣ３１ａにＩＮＶＩＴＥ（４）信号を送信する（ステップＤ２）。
【０１０７】
ＳＳＣ３１ａは、ＩＮＶＩＴＥ（４）信号を受信すると、端末装置４ａにＩＮＶＩＴＥ（５）信号を送信する（ステップＤ３）。
【０１０８】
端末装置４ａがＩＮＶＩＴＥ（５）信号を受信し、４８０ Temporarily UnavailableをＮＧＮ１に送信すると（ステップＤ４）、４８０ Temporarily UnavailableはＳＳＣ３１ａで受信され、ＳＳＣ３１ａは、転送サービスの処理を行い（ステップＤ５）、処理結果に基づきＰＳＴＮ−ＧＷ３３にＩＮＶＩＴＥ（６）信号を転送する（ステップＤ６）。
【０１０９】
ＰＳＴＮ−ＧＷ３３は、ＩＮＶＩＴＥ（６）信号を受信すると、ＰＳＴＮに発信信号を送信し（ステップＤ７）、ＰＳＴＮから送信されてくる応答信号を受信すると（ステップＤ８）、ＳＳＣ３１ｂに２００ＯＫ（３）を送信する（ステップＤ９）。
【０１１０】
ＳＳＣ３１ｂは、２００ＯＫ（３）を受信すると、端末装置４ｂに２００ＯＫ（４）を送信する（ステップＤ１０）。
【０１１１】
これにより、端末装置４ｂと転送先のＰＳＴＮの端末装置（図示省略）とが通話できるようになる（ステップＤ１１）。
【符号の説明】
【０１１２】
１    ＮＧＮ
３１ａ，３１ｂ    ＳＳＣ
３１１    セッション制御機能部
３１２    転送処理部
３１２１    セッション制御機能部インタフェース
３１２２    転送情報蓄積部インタフェース
３１２３    転送情報検索部
３１２４    設定受け付け部
３１２５    転送情報蓄積制御部
３１２６    転送処理設定部
３１２７    同時転送制御部
３１３    転送情報蓄積部
３１３１    転送回数上限値
３１３２    契約者電話番号
３１３３    同時転送
３１３４    申し込みサービス
３１３５    転送先電話番号
３１３６    登録電話番号
３２ａ，３２ｂ    ＭＳ−Ｃ
３３    ＰＳＴＮ−ＧＷ
４ａ，４ｂ    端末装置
【図１】
2010251826.tif 000003
【図２】
2010251826.tif 000004
【図３】
2010251826.tif 000005
【図４】
2010251826.tif 000006
【図５】
2010251826.tif 000007
【図６】
2010251826.tif 000008
【図７】
2010251826.tif 000009
【図８】
2010251826.tif 000010